Podtech/llm-jp-corpus-v4-ja_patent huggingface dataset:
(57)【要約】【課題】  カーペットの奥深くに絡みついたペットの抜け毛は清掃に困難を要し粘着式ローラーや回転ブラシ式の電気式掃除機でも確実に取り除くことは不可能であった。  本発明はカーペットに絡みついたペットの抜け毛を容易に取り除くことが出来る抜け毛取り用具を提供する。【解決手段】電気式掃除機の吸い込み口の先端に波歯状に加工した金属板を傾斜を付けて取り付けたことを特徴とするカーペット用ペットの抜け毛取り用具。【選択図】図１
2014039785.tif 000002
【特許請求の範囲】
【請求項１】
電気式掃除機の吸い込み口の先端に、波歯状に加工した金属板を取り付けたカーペット用ペットの抜け毛取り器。
【発明の詳細な説明】
【技術分野】
【０００１】  本発明は室内で飼っているペットの抜け毛掃除に関するものである。
【背景技術】
【０００２】  従来、カーペットに纏わり付いたペットの抜け毛は粘着テープ式のローラーを用いカーペットの表面にある抜け毛を掃除していた。
なお、ペット自身から抜け毛を掻き出す用具は多く知られている。（特許文献１参照）
【先行技術文献】
【特許文献】
【０００３】
【特許文献１】特開２００８−１６７７２４号公報
【特許文献２】特開２００９−０５５８６７号公報
【発明の概要】
【発明が解決しようとする課題】
【０００４】  カーペットに絡みついたペットの抜け毛は粘着式のローラーや電気式掃除機で確実に取り除くことは容易ではなかった。また、電気式掃除機の吸い込み口ローラーに絡みついた抜け毛は清掃に時間を要した。
【課題を解決するための手段】
【０００５】  アタッチメント式の電気式掃除機用吸い込み口に波歯状の金属板を角度を持たせて取り付ける
【発明の効果】
【０００６】  従来困難であったカーペットに深く絡みついたペット等の抜け毛を容易に掻き出し清掃することが出来る。
本発明はカーペットの抜け毛だけでなくペットに直接使用し、抜け毛を掻き出すことが出来る。
【図面の簡単な説明】
【０００７】
【図１】本発明の斜視図
【図２】本発明の使用状態を示す斜視図
【発明を実施するための形態】
【０００８】    以下、本発明の実施の形態を説明する。
（イ）金属板（１）を波歯状（２）に加工する
（ロ）電気式掃除機の蛇腹ホース（３）に取り付ける小型の吸口（４）を準備する
（ハ）吸口（４）の先端に波歯状金属板（５）を傾斜を付けて取り付ける
本発明は以上のような構造である。
本発明を使用するときは、波歯状金属板（５）を取り付けた小型の吸口（４）を電気式掃除機の蛇腹ホース（３）に挿し込み、カーペットの表面を手前に掻き取るように移動させ絡みついたペットの抜け毛を集める。
波歯状金属板（５）は先端に適度の丸みを付け、カーペットの損傷を防止するとともに波歯状（２）にすることによりカーペットに深く沈み込み絡みついたペットの抜け毛を効率よく掻き出す。
また、金属板（１）にすることにより摩耗を防ぎ、波歯状（２）にすることにより摩擦による静電気を効率よく放電させカーペットへの再付着を防止する。
【符号の説明】
【０００９】    １金属板、２波歯状加工、３蛇腹ホース、４小型の吸口、５波歯状金属板
【図１】
2014039785.tif 000003
【図２】
2014039785.tif 000004
(57)【要約】【課題】  刃物等に刃をつけるための砥石の表面は平であることにより、刃を研ぎ出すことが出来るのだが、従来の砥石は使用中の磨滅により変形して使用に困難をきたし，又  磨滅により砥石が消滅して使用が不可能となる最後まで使いきることができない。【解決手段】  従来四角柱の形をしていた砥石を円柱の形をした砥石にするのである。円柱の円い面を使用し、時計廻りあるいは反時計回りに砥石を動かし  又  研ぐ面が円いためどの方向にも研ぐことができるので研ぐ方向や砥石と刃物の角度をかえて研ぐことにより磨滅による変形を防ぐこと出来るのである。【選択図】図２
2014039993.tif 000002
【特許請求の範囲】
【請求項１】
砥石を円柱形にして、刃物の刃を研ぎだすために円柱形の砥石の円い面を使用する円い砥石。
【発明の詳細な説明】
【技術分野】
【０００１】  本発明は、刃物等に刃をつける砥石に関するものである。
【背景技術】
【０００２】  刃物等に刃をつけるための機械も存在するが、今日でも家庭や個人では従来の砥石、すなわち、四角柱の形の砥石で、多くの場合台に接着している砥石を使用していて手動により刃を研ぎだしている。【０００３】  古来より、砥石は存在し、刃物等の研磨に使用されてきたのであるが、使用中の研磨により、図１の１の砥石の様に砥石の中央部が磨滅して使用が困難となり、砥石が磨滅により消滅して使用が不可能となる最後まで使い切ることが出来ない。
【先行技術文献】
【特許文献】
【０００４】
【特許文献１】  特許公開平１１−２７７５２４号公報
【発明の概要】
【発明が解決しようとする課題】
【０００５】  砥石を刃物等の研磨に使用するに当たっては、砥石の使用面が平らでなければならないのであり、平らであることにより、刃物等を研ぎ、本来の目的である刃の切れ味を良くするのである。機械により砥石を平らにする装置はあるが費用や置場所などを考えると手軽には使用できない。
【課題を解決するための手段】
【０００６】  そこで、本発明は，以上の課題を解決する為に、従来四角柱であった砥石を図２の１の如く円柱にかえるのである。円柱形をした砥石を台に接着固定して使用するのである。【０００７】  砥石の使用面の磨滅による偏りをなくし常に砥石が平であるようにするため、使用中の砥石の磨滅状況を考察して、円柱形の砥石の円い面の中心を軸として時計回りあるいは反時計回りに任意に動かして、常に砥石面の平坦を保つようにする様に心がけて使用するのである。【０００８】  あるいは又、砥石の使用面が円いため３６０度どの方向に向かっても研ぐことが出来るし、砥石と刃物の角度を変えて研ぐことが出来るので表面を平らにすることを考慮しながら研ぐことができるのである。【０００９】  庖丁の大きさにもよるが、一般の家庭で包丁の刃を研ぎだすために使用する場合には砥石の円形の部分の半径が１０−２０ｃｍもあれば十分に使用に耐えると考えられる。
【発明の効果】
【００１０】  砥石を常に平らな状態で使用でき  又砥石が磨滅により消滅するまで使用可能である。
【図面の簡単な説明】
【００１１】
【図１】従来の砥石と台であり、使用により砥石の磨滅が示されている断面図である。
【図２】本発明に係る円い砥石の斜視図である。
【図３】本発明に係る円い砥石の断面図である。
【発明を実施する形態】
【００１２】  従来は、四角柱の形をしていた砥石を円柱の形にかえるので製作は容易である。
【符号の説明】
【００１１】１  砥石
２  台
３  砥石
４  台
５  砥石
６  台
【図１】
2014039993.tif 000003
【図２】
2014039993.tif 000004
【図３】
2014039993.tif 000005
(57)【要約】      （修正有）【課題】デザインがよく、音質がよく、画面が揺れない薄型テレビなどディスプレイの平面スピーカーを提供する。【解決手段】薄型テレビなどディスプレイの液晶１に一枚強化ガラス２（幅は液晶より２０ＣＭ位大きい）を粘着剤４で張り付け、液晶よりはみ出している両サイド強化ガラスに振動発声装置（アクチュエータ）３を付ける。粘着剤で強化ガラスと液晶を接着し（強化ガラスと液晶を全面的に接着してもよい）、振動が画面の表示部分に伝わらないため画面が揺れない。【選択図】図１
2014039232.tif 000002
【特許請求の範囲】
【請求項１】
平面スピーカー原理を応用する薄型テレビなどディスプレイ画面が揺らない平面スピーカーの構造。
【発明の詳細な説明】
【技術分野】
【０００１】ＮＸＴ平面発生原理を利用して、薄型テレビなどディスプレイの発声スピーカーとします。基本原理は薄型テレビなどディスプレイの表面に強化ガラスを付け、振動させ、音声を発生します。
【背景技術】
【０００２】従来はよい音を出すため、スピーカーは一定的な容量のある箱が必要あります。但し、薄型テレビなどディスプレイは薄いため、容量のある箱がなかなか付けられなく、音がよくないと各テレビなどディスプレイメーカが悩んでいる現状です。今まで、平面スピーカーを沢山のテレビなどディスプレイメーカが試していますが、よい案がありません。本発明は強化ガラスを発声させ、発声用箱がいらなくなります。
【発明の開示】
【０００３】構造は図１のようになります。
▲３▼の振動発声装置（アクチュエータ）の振動より、▲２▼の強化ガラスを振動させ、音声を発生します。本発明は▲４▼の粘着剤で▲２▼の強化ガラスと▲１▼の液晶が接着させ（強化ガラスと液晶全面的に接着してもよい）、振動が画面の表示部分に伝われないため、画面が揺れないです。ですので、低音を出させてもよいです。
【発明が解決しようとする課題】
【０００４】薄型テレビなどディスプレイはかなり進化していますが、逆に音声が劣化しています。デザインがよく、音がよく、発声装置が薄型テレビなどディスプレイの画質に影響しない薄型テレビなどディスプレイは現在存在していない現実です（ＮＸＴ方式のＳｏｕｎｄＶｉｅｗの方法がありますが、該当方式は、低音を出すと、画面が揺れます。
画面と振動板の間に隙間が必要なので、多重反射の問題が発生し、画質に影響します）。
本発明の解決しようとする課題は、スピーカーのデザイン問題、音質の問題、発声時に画面が揺らない問題、画面の画質が落ちない問題となります。
【課題を解決するための手段】
【０００５】薄型テレビなどディスプレイの液晶に一枚強化ガラス（幅は液晶より２０ＣＭ位大きい）張り付け、そうすると液晶よりはみ出している両サイド強化ガラスに発生振動子を付ければ完成です。この方法で薄型テレビなどディスプレイ画面が揺れなく、画質が落ちなく、よい音質も十分出せます。
【発明の効果】
【０００６】本発明の構造を採用することで、薄型テレビなどディスプレイに対し、一つ革命だと思います。薄型テレビなどディスプレイメーカが不振状況から脱出する可能性が十分あります。
【発明を実施するための最良の形態】
【０００７】薄型テレビなどディスプレイの製造時に本発明の構造を採用すること。
【図面の簡単な説明】
【０００８】
【図１】は、▲１▼液晶と▲２▼強化ガラスは▲４▼の粘着剤で接着します。▲３▼の振動発声装置（アクチュエータ）を付けます。
【符号の説明】
【０００９】▲１▼  液晶
▲２▼  強化ガラス
▲３▼  振動発声装置（アクチュエータ）
▲４▼  強化ガラスと液晶の間は透明粘着剤で接着する（強化ガラスと液晶全面的に接着してもよい）
【図１】
2014039232.tif 000003
(57)【要約】【課題】  従来からの同軸スピーカーに於いては、凹型振動板の低音域ユニットの中心部奥に中高音域振動板ユニットを配置しており、凹型振動板の奥より中高音域を放出していたためキャビティ効果、くぼみ効果の影響により周波数特性、指向特性等にみだれが生じ、良好な放射特性が得られない等の問題があった。【解決手段】  本発明は、上記問題点であった形状を凸面振動板とし、凸面状の低音域振動板の中心及び頂点に中高音用振動板を同一平面に配置し、キャビティ効果及びくぼみ効果の発生を少なくし、周波数特性、指向特性の改善を計ることにより、良好な諸特性を得る構成とした。【選択図】図１
2014039231.tif 000002
【特許請求の範囲】
【請求項１】
凸面状低音域用振動板の中心に中高音域用振動ユニットが配置されたことを特徴とする同軸スピーカー。
【請求項２】
凸面状低音域用振動板の頂点に中高音域用振動ユニットが配置されたことを特徴とする請求項１に記載の同軸スピーカー。
【請求項３】
振動板の半径が低音域よりも中高音域が小さいことを特徴とする請求項１，２に記載の同軸スピーカー。
【請求項４】
低音域振動板とスピーカー本体フレーム及び中高音域はそれぞれエッジによりつながっていて同一平面上に配置されていることを特徴とする請求項１，２，３に記載の同軸スピーカー。
【発明の詳細な説明】
【技術分野】
【０００１】  本発明は、凸面状の低音域振動板中心部に中高音域振動ユニットを配したことにより良好な音質を提供し聴取出来る様にした同軸スピーカーに関する。
【背景技術】
【０００２】  そもそもスピーカーユニットとは、平坦な周波数特性と点音源による発音ヶ所が理想的なスピーカーユニット及びシステムとして求められてきた。これらを実現するために古くから同軸スピーカーがあった。
従来からの同軸スピーカーとしては欧米の多くのスピーカーメーカーが製造してきており、世界的にも著名なものとしては「タンノイ社」モニターゴールド、「アルテック社」６０４、「ジェンセン社」６１０等があり、我が国に於いても松下電器（株）、パイオニア社、他数社により製造されていた。
（特許文献１）（特願２００７−２９２７９９）等、凸面状同軸スピーカーもあったが、高音域と低音域の振動板位置が同一面上ではなく、位相ずれ等の問題もあった。
【発明の概要】
【発明が解決しようとする課題】
【０００３】  従来から多数種製造されてきた同軸スピーカーに於いては、凹型コーンの低音域振動板の中心部奥に中高音域ユニットを配しており、凹型コーンの奥より中高音域を放出していたため「キャビティー効果」「くぼみ効果」等により周波数特性の乱れが生じていた。【０００４】  これらの問題点に平板型同軸スピーカーにて周波数特性の乱れを改善する試みもあったが、製造コスト高やたわみの発生など、強度的な問題の発生により解決には至っていなかった。
【課題を解決するための手段】
【０００５】  凹型コーンにより生じる「キャビティー効果」「くぼみ効果」等周波数特性のみだれは、低音域ユニットと中高音域ユニットの前面上下配置や、平板ユニット同士の同位置同軸配置等で試みられたが解決には至っていなかった。
本発明は上記問題をかんがみ、凸面状低音域振動板中心に中高音域ユニットを配置することにより上記問題を解決することとした。
【発明の効果】
【０００６】  本発明の凸面状低音域振動板中心に中高音ユニットを配したことによる上記問題点は、図３のごとく周波数特性に大きくみだれが生じていた図２のａ点のディップが改善され、図３ｂ点の様に平坦な周波数特性が得られ同軸発音源による高音域で良好な音響特性を実現することができた。このことは、スピーカーに求められる従来からの諸特性（周波数の平坦性、点音源、位相特性、高剛性）が悉く得られるという、大変効率の良い方法であり、求める効果の目的が的確に達成された。【０００７】  またさらに、振動板の形状を凹面あるいは平板から凸面状に変更するのみであり、従来からのスピーカーユニット製造方式がそのまま生かされ、特別な手段をとらなくてもコストや手間をとらずにスピーカーの性能向上に寄与することができる。
【図面の簡単な説明】
【０００８】
【図１】本発明同軸スピーカーユニットの断面図である。円形同軸であるため断面図の図形である。
【０００９】
【図２】従来からの凹面コーン形状の同軸スピーカーユニットの周波数特性表である。キャビティー効果のため約７ｋＨｚ付近の周波数が大きくディップを起こし乱れが生じている。
【００１０】
【図３】本発明の同軸スピーカーユニットの周波数特性表である。図２と同口径のフレームを使用しているが、７ｋＨｚ付近の乱れはなく周波数特性の平坦性は改善されている。
【発明を実施するための形態】
【００１１】  図２比較のため、一方に従来からの凹面すり鉢状振動板中心奥に中高音ユニットを配した同口形の同軸スピーカーと同口形の凸面状振動板頂点中心部に中高音ユニットを配した本発明の同軸スピーカーの特性を測定した。図３のように平坦特性が得られた。
【実施例１】
【００１２】  図１の断面構造のごとくである。ポールピース７を中心とする頂点付近に中高音域ユニット１を配置し適切に固着し、低音域振動板２と配置位置を合わせて位相面を合わせてある。低音域振動板２はボイスコイルボビン４及びテーパーコーン１０、エッジ９、ダンパー５を介し、フレーム３に適切に固着されている。低音域ドライブ用ボイスコイル６はマグネット８とポールピース７とのギャップに位置し最適動作をしている。この位置関係により、最適な球面状の波面をなした広帯域な音波が放出される。図３のごとくである。これらはスピーカーとして理想にかなう音環境を提供することになるものである。
【産業用の利用可能性】
【００１３】  本発明は、特に正確な音質を要求されるスタジオ用モニタースピーカーなどには最適なシステムであり、一般高級オーディオや超高音質を要求される一部のＨｉｇｈ  Ｅｎｄオーディオマニア向けにも良い。
【符号の説明】１，  中高音域ユニット部
２，  凸面状低音域振動板
３，  スピーカーユニットフレーム部
４，  ボイスコイルボビン
５，  ダンパー部
６，  低音域用ボイスコイル
７，  低音域部ポールピース
８，  低音域部マグネット
９，  凸面状低音域振動板用エッジ部
１０，凸面状低音域振動板支持コーン
ａ，  周波数特性のディップ部分
ｂ，  周波数特性のディップ部の改善特性部分
【図１】
2014039231.tif 000003
【図２】
2014039231.tif 000004
【図３】
2014039231.tif 000005
(57)【要約】【課題】  花瓶の花が土に根を張っていれば花は痛まないが、花瓶には水はけが無いので土を入れて花を育てられない。【解決手段】  鉢植えに咲かせた根つきの花を花瓶に生けた切り花の様に室内に持ち込む方法として、植木鉢の受け皿部分を花瓶型にして大きくして植木鉢とセットにする。植木鉢全体を受け皿の機能を持つ花瓶の中に入れ子にし、植木鉢の口辺部を花瓶の口辺部で受けてつなぎ目を隠し、見かけ上は花瓶と一体化させる。陶磁器製とシリコーン樹脂の両方を製作する。  【選択図】図２
2014082961.tif 000002
【特許請求の範囲】
【請求項１】
植木鉢の水受け皿を、植木鉢の口径と深さに合わせた植木鉢全体が収まる大きさの花瓶とする。花瓶に植木鉢を入れ子にして口辺部で組み合わせ一体化させるが、それぞれ別々に花瓶として、植木鉢として使用できる。
【請求項２】
陶磁器製だけでなく、シリコーン樹脂でも製作する。
【発明の詳細な説明】
【技術分野】
【０００１】
窯業、シリコーン樹脂業
【背景技術】
【０００２】
１  陶磁器植木鉢製作技術
２  陶磁器花瓶製作技術
３  シリコーン樹脂成形技術
【先行技術文献】
【特許文献】
【０００３】
【特許文献１】特許公開２００１−３７３３５花瓶植木鉢、実用新案公開平５−１５７４３花瓶兼用植木鉢
【発明の概要】
【発明が解決しようとする課題】
【０００４】
花瓶の花が土に根を張っていたなら長く観賞可能である。しかし花瓶は水はけが無いので土を入れて花を育てられない。
【課題を解決するための手段】
【０００５】
鉢植えに咲かせた花を花瓶に生けたように室内に持ちこむ方法として、植木鉢の受け皿を花瓶型に大きくつくり、植木鉢を花瓶の入れ子にして口辺部で受け、見かけ上を花瓶と一体化させる。
【発明の効果】
【０００６】
植木鉢の水やりで鉢底から流れ出た水は花瓶に溜まる。見かけ上は花瓶の挿し花であるが、根付きなので水やりと適切な光があれば長い間飾ることができる。植木鉢部分を屋外で鉢植えとして育てる。複数の植木鉢部に花を屋外で育て、咲いた花鉢を花瓶に組み込んで室内に置いて飾る。花瓶部は通常の花瓶としても使用できる。
【図面の簡単な説明】
【０００７】
【図１】陶磁器製の一例、寸法や形態は様々にデザインできる。植木鉢は花瓶底に届く寸法でもよい。
【図２】シリコーン樹脂製の一例、植木鉢は花瓶の底に直接乗って安定させる。
【発明を実施するための形態】
【０００８】
植木鉢には植え替えのために直線または外反りの形態と、底に水はけ用の穴と受け皿が必要である。植木鉢部を入れ子で納める受け皿兼用の花瓶部が、組み込まれた植木鉢と一体に見えなくてはならない。そのために植木鉢口辺が花瓶の口辺の上に重なって、つなぎ目を見せない構造とする。植木鉢として適切な口径と深さを確保して入れ子にできるように、花瓶部の寸法が見合っていれば、花瓶部は自由にデザインできる。シリコーン製の製品は軽量なので、中の植木鉢が花瓶に直接乗って安定させる寸法にする。
【実施例】
【０００９】
植木鉢と花瓶の口径と高さの寸法を合わせて磁器粘土でろくろ成形し、削って仕上げた。それぞれに青白磁釉を施して還元焔焼成した。ハンドメイドの試作品でその有用性が確かめられた。
【産業上の利用可能性】
【００１０】
ハンドメイドばかりでなく、石膏型泥しょう鋳込み成形で量産可能である。陶磁器の新しい需要を喚起できる。シリコーンで製品化すれば柔軟で強靭なうえ色彩を含めたデザインの可能性と陶磁器以上の低価格が実現できる。
【図１】
2014082961.tif 000003
【図２】
2014082961.tif 000004
(57)【要約】【課題】  塵や埃からスパーク発火するなどの火事の原因となるトラッキング現象を防止する目的かつ、住宅用の壁埋め込み式コンセントとして普及しやすい、プラグを斜め上向きに浅く埋め接続するコンセントを提供する。【解決手段】壁埋め込み型の電気コンセントの（１）差込口の上部２個を斜め下向きにし、（２）差し込み口上部に１ｃｍ程度の（６）ひさしを備え、プラグが１ｃｍ程度斜め上向きに埋め込まれ接続する形を特徴とする。また、最下段の３個目に通常の（３）差し込み口をもつ。【選択図】図２
2014082179.tif 000002
【特許請求の範囲】
【請求項１】
電気コンセント（１）の上部２個の差込口に下向きの角度をつけ、（２）プラグが１ｃｍ程度隠れるよう工夫し、（３）プラグ上部受け口上部に防塵用のカバーひさしを備え、最下段に従来の（３）差込口を加えた３個口壁埋め込み式安全コンセント。
【発明の詳細な説明】
【技術分野】
【０００１】この発明は、住宅の壁に埋め込み式の電気コンセントの差込口に、下向きに角度を付けた差込口を２個とし、最下段に従来型の垂直面のコンセントを１個設置した壁埋め込み式コンセントに関するものである。
【技術背景】
【０００２】  従来、住宅の壁用コンセントは、平面構造になっていたことで、プラグの緩みが生じ抜けやすくなっていた。このことにより、スパーク発火などのトラッキング現象が発生し、火事の原因となっていた。これを改良した斜め上向きに差し込む装置の発明もあった。
【先行技術文献】
【０００３】
【特許文献】
【特許文献】  特開１１−２６１１５公開
【発明の概要】
【発明が解決しようとする課題】
【０００４】  これには次のような欠点があった。一旦プラグを差し込むと引き抜きにくい欠点と、アダプター式の電源プラグが差し込めないという欠点があった。また、壁側に奥行きがとられ過ぎ、一般住宅用に普及できない欠点があった。本発明は、以上のような欠点をなくすために考えたものである。
【課題を解決するための手段】
【０００５】  壁埋込電気コンセント（１）へのプラグ接続時に、プラグの根元が１ｃｍ程度隠れるよう（２）斜め下向きの差込口を２個備え、さらにその下に（３）従来型の差込口を備え、差込口３個とする。上部２個の差込口の上部には、防塵のための（６）ひさしを備える。
本発明は、以上のような構成の壁埋め込み式コンセントである。
【発明の効果】
【０００６】  冷蔵庫、テレビ、エアコンなど、長期間利用するものは、埋め込み式に差し込み接続を強化でき、電話などのアダプター型電源は、最下段の垂直面に差し込むことができる。長期接続でも、抜き差し多いプラグでも、確り固定できる上、アダプター型プラグも接続できる。
【図面の簡単な説明】
【０００７】
【図１】  本発明の斜面図である。
【図２】  本発明の右側面図である。（左側面図と同じ）
【図３】  本発明の正面図である。
【図４】  本発明の上面図である。（底面図と同じ）
【発明を実施するための形態】
【０００８】以下、本発明を実施するための形態について説明する。
コンセントボックス（１）の上段及び２段目の差込口に壁側に斜め下向きの（２）角度をつけ、プラグが１ｃｍ程度に隠れる状態にする。最下段に、（３）従来型の差込口を付ける。
上部２個の差込口の上部には、防塵のための（６）ひさしを備える。
以上のような構造である。
本発明を使用するときは、長期利用の電化製品は、１段目並びに２段目に差し込むことで、接続を強固にできる。また、抜き差し頻度の多いプラグにおいても、確り接続かつ容易に抜き差しできる。さらに、水平面の差込口には、アダプター型電源プラグや二又ソケットなどを差し込める。
【産業上の利用可能性】
【００９】    火災防止を目的に改良した。一般住宅用の壁に埋め込む形の電気コンセントとして、奥行は従来のコンセントと変わらないので、普及しやすいと思われる。
【図１】
2014082179.tif 000003
【図２】
2014082179.tif 000004
【図３】
2014082179.tif 000005
【図４】
2014082179.tif 000006
(57)【要約】      （修正有）【課題】従来整備点検が困難で見落とされがちな電源、特に車輌搭載の蓄電池の点検をより簡単に確実に行う事を可能にし従来走行中に突然発生する蓄電池不良による路上故障問題の改善を可能にする。【解決手段】車輌起動用電動機３と電動機起動用電気スイッチ２を直列に接続した電気回路を車輌搭載蓄電池１に並列に接続し最低電圧記憶装置７と大容量電解コンテンサー８を並列に接続しシリコンダイオード４を介して車輌搭載蓄電池と並列に接続し、最低電圧記憶装置７を車両運転席近くに設けた。【選択図】図１
2014082178.tif 000002
【特許請求の範囲】
【請求項１】
車輌起動用電動機▲３▼と電動機起動用電気スイッチ▲２▼を直列に接続した電気回路を車輌搭載蓄電池▲１▼に並列に接続し最低電圧記憶装置▲７▼と大容量電解コンテンサー▲８▼を並列に接続しシリコンダイオード▲４▼を介して車輌搭載蓄電池と並列に接続した事を特徴とする最低電圧記憶装置▲７▼を車両運転席近くに設けた事を特徴とした車輌。
【発明の詳細な説明】
【発明の詳細な説明】
【技術分野】  自動車の整備不充分による路上故障問題の解決を計ったものである。
【背景技術】  従来も自動車の整備点検は行われて来たが点検時間を要したり困難な所の点検を見落されることが多かった。
【発明が解決しようとする課題】
従来整備点検が困難で見落とされがちな電源、特に車輌搭載の蓄電池の点検をより簡単に確実に行う事を可能にし従来走行中に突然発生する蓄電池不良による路上故障問題の改善を可能にしたものである。又電気自動車や電動車輌に於いては車輌起動用モータに、この最低電圧点検装置を接続して蓄電池の劣化を点検する事が出来る事はもちろんである。
【発明実施の形態】
当発明の態様を理解し易くする為に一実施例を図示し説明する。  図示が必要でないものは文章のみの説明とする。又図示のトランジスタ回路を集積回路を用いて構成出来る事は勿論であるが当発明が最も理解し安いと思われる電気回路を図示し説明する事にした。  図１の（１）は車輌搭載の蓄電池（２）は車輌エンジン起動用モータ（３）を起動させる押釦スイッチである（４）は大容量電解コンデンサー（８）の放電用ダイオードで（５）はコンデンサー（８）の再充電用押釦スイッチで（６）は車輌に搭載された各種電気装置を示す（１２）は最低電圧制御装置の収納箱を示す。（７）は車輌の運転席近くに設置された電圧計で各種の電圧計を用いる事ができる  上記回路でエンジンを起動させた場合蓄電池の性能が劣化している場合通常の電圧より非常に低い電圧が表示される。この場合蓄電池の性能を事前に再点検する事で路上故障を未然に防ぐ事が出来る。  図２の実施例ではコンデンサー（８）に充電された初期電圧より非常に低い電圧がエンジン起動時に蓄電池に生じた場合トランジスタ（９）（１０）が作動して運転席近くに設置された発光ダイオード表示灯が点灯して搭載蓄電池の劣化を知る事が出来る。  （１）（２）共運転席の通常より非常に低い電圧表示を確認したら早急に蓄電池の点検をする事で路上故障が改善出来る。
【図面の簡単な説明】  図中の符号（１）は車輌搭載蓄電池，（２）はエンジン起動用電動機（３）を起動させる押釦スイッチである（６）は車輌に搭載した起動電気装置を示す（７）は運転席近くに設けた表示装置を示す。【図１】の（８）は大容量電解コンデンサー（４）はシリコンダイオードを示す
【図２】の（９）はＮＰＮ型トランジスターを示し（１０）はＰＮＰ型トランジスタを示す（７）は運転席近くに設けた表示装置を、符号（５）の押釦スイッチやダイオードはコンデンサー（８）の電圧を蓄電池の無負荷状態を回復させるスイッチである（１１）は抵抗（１２）は最低電圧制御装置の収納用器を示す
【図１】
2014082178.tif 000003
【図２】
2014082178.tif 000004
(57)【要約】      （修正有）【課題】自動車において、右折または左折する時に車輪の進行方向に対する角度を変えずに、車輪の回転数を左右および前後の車輪で変える事により進行方向を変える自動車を提供する。【解決手段】電気自動車に関しては、二輪又は四輪にそれぞれ駆動用モーター９，１７を取り付ける事により、モーターの回転数をコンピューターで統合的に制御して、例として左折する時には左側の車輪の回転数を右側の車輪の回転数より小さくして、その回転数の差の大きさにより、車両を大きく左折したり、小さく左折する。【選択図】図１
2014082817.tif 000002
【特許請求の範囲】
【請求項１】
電気自動車の車輪の回転数をコンピュータにより統合的に制御して、左右前後の車輪の回転数の差により、右左折等の車両の進行方向を制御する事。
【発明の詳細な説明】
【技術分野】
【０００１】
電気自動車
【背景技術】
【０００２】
従来の自動車において、左右に進行方向を変えるには、ハンドルを回して、前輪または後輪等の向きを進行方向に対して変化する、必要がある。
【先行技術文献】
【特許文献】
【０００３】
【特許文献１】特許公開２００１−１６３２３２特許公開２００８−１００６８３
【特許文献２】特許公開２００８−１００６８３
【発明の概要】
【発明が解決しようとする課題】
【０００４】
１、従来技術では、機械的に車輪の方向を変えているために、機械的に構造が複雑になる事を単純にして、後輪の回転すを制御することにより、狭いところでの右左折が容易な自動車を提供する。
【課題を解決するための手段】
【０００５】
四輪また六輪等の自動車において、運転者がレバー等により、進行方向をコンピューターに指示して、それぞれの車輪の回転数をコンピューターにより一元的に制御して、左右または前後の車輪の回転数の差により自動車の進行方向を変える。
【発明の効果】
【０００６】
１、ハンドルにより車輪の方向を変化させないために、機械的に構造が単純である。２、４輪または６輪等の左右の車輪をゆっくり逆回転する事により、その場で回転できるために、回転半径を小さくできる。３、進行方向を車輪の回転数で決めるために、従来のハンドルの様に右折又は左折から直進にもどす時にハンドルを逆回転する必要がないために、運転操作の習熟が容易である。
【図面の簡単な説明】
【０００７】
【図１】本考案の前輪のみを駆動輪とした、上面から見た概略構成図である。
【発明を実施するための形態】
【０００８】
図１は本発明において、前輪のみに駆動用モーターを取り付けた実施形態の概略構成図である。
【実施例】
【０００９】
概略構成図１において、走行中、運転手がジョイステックのレバー７を左側に倒した時、コンピューター６が接続コード５，８，１５，１６を経由して、回転数検知式モーターブレーキシステム９，１７および回転数検知式ブレーキ４，１４に信号を送る。その時レバー７の傾きに比例して左折するのに最適の回転数を車輪２，１１，１２，１９が保てる信号をおくる。そして回転数検知式モーターブレーキシステム９，１７および回転数検知式ブレーキ４，１４により検知した回転数を接続コード５，８，１５，１６を経由してコンピューター６にもどして、実際の回転数により、コンピューター６で修正した信号を回転数検知式モーターブレーキシステム９，１７および回転数検知式ブレーキ４，１７へ送る。又ジャイロセンサーにより、進行方向を確認して、コンピューター６により適正信号をだす。
【産業上の利用可能性】
【００１０】
電気自動車において、機械的な構造が単純になるために、比較的低価格な自動車が製造出来る様になる。また操作を手に集中する事が出来る為に下半身に障害の有る人でも運転し易い自動車を作る場合に比較的低価格で出来る。
【符号の説明】
【００１１】
1  自動車車体
２  左後輪
３  左後輪と回転数検知式ブレーキとの接続シャフト
４  回転数検知式ブレーキ
５  回転数検知式ブレーキと全車輪回転数制御用コンピューターとの接続コード
６  ジャイロセンサー内蔵式全車輪回転数制御用コンピューター
７  コンピューター制御用ジョイステックレバー
８  全車輪回転数制御用コンピューターと左前輪回転数検知式駆動モーターブレーキシステムとの接続コード
９  左前輪回転数検知式モーターブレーキシステム
１０  左前輪回転数検知式モーターブレーキシステムと左前輪との接続シャフト
１１  左前輪
１２  右後輪
１３  右後輪と回転数検知式ブレーキとの接続シャフト
１４  右後輪回転数検知式ブレーキ
１５  回転数検知式ブレーキと全車輪回転数制御用コンピューターとの接続コード
１６  全車輪回転数制御用コンピューターと右前輪回転数検知式駆動モーターブレーキシステムとの接続コード
１７  右前輪回転数検知式モーターブレーキシステム
１８  右前輪回転数検知式モーターブレーキシステムと右前輪との接続シャフト
１９  右前輪
【図１】
2014082817.tif 000003
(57)【要約】      （修正有）【課題】一般市販されている、チューブ式製品をある程度使用してくると中身が容易に出にくくなり大変不便な思いをするものであった。【解決手段】本体１、ローラー２、ローラー芯６、歯車３、ハンドル４、ピン５等最小限の構造で構成され、本体１内部に歯車３を取り付けたローラー２を取り付け、ローラー２を回転する為のハンドル４を本体1外部に備えたチューブ絞り器において、ローラー２とローラー２とを連動させる歯車３を用い連係駆動する、歯車３はお互い噛み合う事により必然的にお互いが正反対に回転する事を利用した構成になる。ハンドル４を指で回転させる事によりチューブ式製品の、中身が常に排出口に押し込まれ、容易に中身を絞り出して使用する事ができ最後まで無駄なくきれいに使用する事ができる。【選択図】図１
2014009033.tif 000002
【特許請求の範囲】
【請求項１】
本体に、ローラー側部に歯車を取り付けた回転部ローラー一対を設け、歯車と歯車を噛み合わせる事により、お互い相反する回転を利用し、チューブを挟み込み回転部ローラーを回転させる事でチューブ製品内部を搾り出す。
【請求項２】
回転部ローラーの、直径 長さ 及び本体フレームの 幅 長さフレームの太さを、変える事により、多種多様のチューブ式製品に対応する事が出来る。
【請求項３】
本体フレーム内部にローラー部を取り付け、本体外部にツマミ取り付ける事により、簡単で容易にローラー部を回転させる事が出来、簡単でシンプルな構造にする事ができ安全で洗浄が可能であり非常に衛生的である。
【発明の詳細な説明】
【技術分野】
【０００１】
本発明は、ある程度使用したチューブ式製品を、二つの回転するローラー部に挟み込んでローラー部を回転させる事により、チューブ式製品の中身を出口に押し出してより容易に使用出来るようにしたものである。
【背景技術】
【０００２】
本発明に関連するような製品等が市販されていなく、本発明品は構造及び機能面においても簡単であり、安全で使いやすく経済的であり非常に期待がもてる。
【発明の開示】
【発明が解決しようとする課題】
【０００３】
毎日使用する、はみがき 洗顔フォームやその他多種多様な物がチューブ式商品として市販されているが、使用してくると中身の一部が思う様に絞り出す事が出来にくくなり大変不便な思いをするものであった。
【課題を解決するための手段】
【０００４】
本発明は、本体フレームに、回転部ローラーを組み込み、その側部に歯車を取り付け、ローラーを並行に並べて二組のローラー側部に取り付けた歯車を噛み合わせる事によりそれぞれのローラーを反対方向に回転させる事により中身を絞り出す。
【０００５】
本体フレームに組み込まれた回転部ローラーに、チューブ式製品を挟む事により、チューブ式製品の中身が、出口方向に押し込出され中身を容易に絞り出して使用する事ができるものである。
【０００６】
チューブ体を挟む、ローラー１、２の側部に歯車を配置し、ローラーを回転する為のハンドルを付与し、絞り出し装置のローラー１、２にチューブ後端を挟みつけ、ハンドルを回転することで、チューブを無駄なく簡単に絞り出せることを特徴としたチューブ絞り器。
【０００７】
【発明の効果】
【０００８】
本発明チューブ絞り器に、チューブ式製品を挟み込む事により安全に無駄なく容易に最後まできれいに使いきる事ができる為、たいへん経済的で洗浄が可能であり非常に衛生的である。
【発明を実施するための最良の形態】
【０００９】
本案を図によって説明する。図１はチューブ絞り器正面図で、本体（１）内部に一対のローラー（２）を、ローラー芯（６）に歯車（３）を組み込み、本体内から伸びたローラー芯を本体外部にローラー芯止めピン（５）を取り付け、その先にローラーを回転する為のハンドル（４）を取り付ける構造からなる。
【００１０】
図２は図１の側面図、上面図である。上面図は上方から見た図で上部はチューブ製品が通る為に空間状になる。
【００１１】
図３は図１の部品図である。（２）はローラー芯を取り付けたローラー正面図、（２）（イ）はローラー側面図、（３）は歯車図、（４）はハンドル裏面図、（４）（ロ）はハンドル側面図、（５）はローラー芯止めピンの種類である。ローラー（２）にはローラー芯（６）が有り、ローラー芯（６）には歯車（３）とローラー（２）を一体にし、一体回転する為の変形芯（ｂ）、その先は本体部側壁でのスムーズな回転に必要な円柱芯（a）、さらにその先は本体とローラーを固定する為のピン止め溝（ｃ）、ローラーを回転させるのに必要なハンドルを取り付ける為の変形芯（ｄ）からなる構造になる。（e）は円柱形状。
【実施例１】
【００１２】
一対のローラーを平行に並べて、本体外部に取り付けたハンドルを持って回転させることによりチューブ製品内容物を綺麗に排出することが出来、安全に又清潔に使用することが可能になる。
【００１３】
ローラー芯部は本体壁部での回転を要する部位は円柱の形状、歯車部位を取り付け部位は変形の形状を有し、二つの歯車を噛み合わせることで、反対方向に歯車は回転をする事が可能に成る、この反対回転を利用し滑らないローラーでチューブをはさみ排出させる。
【図面の簡単な説明】
【００１４】
【図１】正面図
【図２】側面図、上面図
【図３】部品図
【符号の説明】
【００１５】
１本体、
２ローラー、
（２イ）ローラー側面図、
３歯車、
４つまみ、ハンドル、
（４ロ）ハンドル側面図、
（４ハ）ハンドル裏面図、
５ローラー止ピン、
６ローラー芯、
（a）円柱形状（本体取り付け部）、
（b）変形形状（歯車取り付け部）、
（c）ピン止め溝部、
（d）ハンドル取り付け部、
（e）形状指定なし、
【図１】
2014009033.tif 000003
【図２】
2014009033.tif 000004
【図３】
2014009033.tif 000005
(57)【要約】【課題】内容物を容易に適当な場所にとりだせるための、回転ふたつき容器を提供する。【解決手段】（１）容器の形態を八角形にし、（２）注ぎ口をつけ、（３）内部は筒状あるいは球状にする。（４）ふたをつけ、（５）ふたは、本体の上で回転できるようにし、（６）ふたのつまみに、切れ込みをいれ、（７）ふたの表面に、凹凸をつける。【選択図】図１
2014009036.tif 000002
【特許請求の範囲】
【請求項１】
容器の本体は八角形にする。
【請求項２】
容器に注ぎ口をつける。
【請求項３】
本体の内部は円柱状、または球状にする。
【請求項４】
ふたをつける。
【請求項５】
ふたは、本体に半分ほどはめこんで、回転できるようにする。
【請求項６】
ふたのつまみに、切れ込みを入れる。
【請求項７】
ふたの表面に凹凸をつける。
【発明の詳細な説明】
【技術分野】
【０００１】この発明は、容器のふちに、注ぎ口がつき、ふたがつき、ふたが回転できる容器に関するものである。
【背景技術】
【０００２】従来の容器は、種々の形状があり、また、ふたも、ある物、ない物さまざまであるが内容物を注ぎだすとき、とりわけ、錠剤のように丸い小さいものは、余分に出たりころがったりする。
【先行技術文献】
【０００３】
【特許文献１】「ふたつき容器」に関する件  ２００１−２０６６４２「線伏体巻き取り収納器具」  ２００１−０００１０９「レギュラーコーヒーの保存方法」
【非特殊文献１】
特になし
【発明の概要】
【発明が解決しようとする課題】
【０００４】現在、存在する様々な容器は、内容物を取り出すには、手で取り出すほかに、容器を傾けて出すと、必要以上に出すぎたり、ときには、こぼれ落ちたりする。
また、錠剤を飲む場合に、特に老人は、錠剤を落としたり、口に入れ損ねたりする。
【課題を解決するための手段】
【０００５】（イ）本発明の回転ふたつき容器は、軽量の、八角形の立体である。
（ロ）本体の一部に注ぎ口をつける。
（ハ）本体の内側は、角なしの、円柱状、または、球状である。
（ニ）本体と別に、上部をおおう平面のふたを用意する。ふたは、注ぎ口もおおう。
（ホ）本体の上部の縁の一部に、ふたの一部が、はさみこまれるようにする。
（ヘ）ふたの表面に、つまみをつけ、つまみは、２分されている。
（ト）ふたの表面には、細かい凹凸をつける。
本発明は、以上の構成よりなる、回転ふたつき容器である。
【発明の効果】
【０００６】（イ）本容器は、軽いので、老人も、片手で持てる。また、外部形状が八角形なので、指がすべりにくい。
（ロ）本容器には、注ぎ口がついているので、内容物を容易に口に入れることができる。
（ハ）本容器の内部は円柱状、または球状なので、内容物が出やすい。
（ニ）ふたつき容器なので、清潔である。ふたをはずして飲むこともできる。
（ホ）ふたは、本体上で回転できるので、３分の１ほどずらして、注ぎ口を出して飲めば、内容物や水分がこぼれにくい。ふたの一部が、本体に挟み込まれているので、ふたが、容易に着脱、回転できる。
（ヘ）ふたのつまみは、２分されているので、メッセージを書いた紙などをはさむことができる。
（ト）ふたの表面の凹凸によって、容易にふたを回転できる。
（チ）注ぎ口と、ふたの利用によって、老人も幼児も、容器の内容物（主として薬剤）を正確に口に入れることができる。
【図面の簡単な説明】
【０００７】
【図１】本発明の容器の側面を示した全体図である。（ふた  あり）
【図２】本発明の容器を実際に使うときの図である。
【図３】本発明のふたの表面を示した平面図である。
【図４】本発明の本体の上部を示した平面図である。
【発明を実施するための形態】
【０００８】以下、本発明を実施するための形態について説明する。
通常のコップ、あるいは湯のみ状の形態の容器である。
（イ）素材、色彩などは、適宜選択できる。ただし、外形は、八角形にする。
（ロ）縁に注ぎ口をつける。
（ハ）内部は、滑らかな円柱状または、球状にする。
（ニ）本体の縁の一部をダブルにして、ふたの一部がはさみこまれるようにする。
（ホ）ふたは、平面状で、注ぎ口もおおい、ふたのふちを、本体の縁の一部にはさみこむ。こうして、ふたは、本体の縁を回転する。
（ヘ）ふたにつまみをつけ、つまみに、切り込みをいれ、紙などが挟めるようにする。
（ト）ふたの表面の細かい凹凸によって、容易にふたを回転することができる。
（チ）必要に応じて杷手をつける。
（リ）この容器の内容物を取り出し、あるいは、口に入れるときには、ふたをずらして、注ぎ口のみ出し、他はふたで覆っておく。したがって、内容物は、こぼれ落ちない。
【符号の説明】
【０００９】１．本体
２．ふた
３．注ぎ口
４．ふたを  はさむ溝
５．つまみ
６．内容物
【図１】
2014009036.tif 000003
【図２】
2014009036.tif 000004
【図３】
2014009036.tif 000005
【図４】
2014009036.tif 000006
(57)【要約】      （修正有）【課題】印刷インキ充填作業において、脱泡、濾過、充填するにあたり３本ロールの場合、３本ロール間の圧力を調整する作業が４ヵ所あり、機械そのものが大型化し、消費電力が増え、製造に係る時間も長い。運転操作や洗浄が簡単なロール２本のロールミル充填機を提供する。【解決手段】ロールミル充填機は鉄製、円柱状の２本のロール１，８を備える。前ロール１の両サイドにある２つのハンドルを手動回転して固定な後ロール８に対しての押圧力を調整する。押圧力によってインキ中の空気を脱泡し、粗粒子を濾過する。ドクター刃部３によってかき取ったインキを板６で受け、秤４に載置した充填容器５に充填する。【選択図】図１
2014009035.tif 000002
【特許請求の範囲】
【請求項１】
印刷インキ製造工程における製品の脱泡、濾過、充填作業用機械における２本ロールを装備し、インキ吐出し部分をドクター刃部とドクターに分離したことを特徴とするロールミル充填機
【発明の詳細な説明】
【技術分野】
【０００１】  本発明は、印刷インキ製造工程におき、製品となる缶への充填の際、従来の３本ロールでの脱泡、濾過、充填機に比べ、操作性を簡略化し、作業効率の改善、消費電力の削減に関するものである。
【背景技術】
【０００２】  従来は、印刷インキの製造工程において、充填手段は３本ロールミルを使っているのが大手のインキメーカーを含めた現状です。
【発明の概要】
【発明が解決しようとする課題】
【０００３】  印刷インキ充填作業において、脱泡、濾過、充填するにあたりインキを３本ロールに通すことにより２回の加圧工程を経ているが、その３本ロールによる作業の必要性はないと考えた。
【課題を解決するための手段】
【０００４】  インキ製造中に混在する空気泡を脱泡し、濾過機能をもち、充填することをねらいとする工程上、本発明の２本ロールミル充填機による１回の加圧工程で目的は達成されます。
【発明の効果】
【０００５】  従来の３本ロールからインキ吐出部を特殊加工した２本ロールにすることにより、機械運転の操作制を簡単化しました。３本ロールの場合、３本ロール間の圧力を調整する作業が４ヵ所あるのに比べ、２本ロールの場合は２ヵ所ですみ、機械本体がコンパクトになり、３本回転させる電力消費量に比べ３０％以上は電力量を減らし、又機械掃除（洗浄）においても作業及び時間も短くなります。
【図面の簡単な説明】
【０００６】
【図１】この発明の一実施形態を示す側面図である。
【図２】この発明の要約側面図
【図３】この発明の一実施形態を示す斜視図である。
【図４】従来技術を示す側面図である。
【発明を実施するための形態】
【０００７】この発明は、印刷用インキ製造において、例を見ない２本ロールミル充填機の改発は独特な加工器具を特殊な装着をすることにより、ロールからインキをかき取ることにより成功した。現行、２本ロールが存在しない大きな理由としては、インキ製造工程における脱泡、濾過充填の前工程として、インキを練肉し、顔料粒子を微細する工程、つまり顔料分散が３本ロールミルの主機能であり、充填時は兼用であるのが現状である。従って製造方法によっては脱泡、濾過充填を目的とするために３本ロールを設備せざるを得ないのが実状であり、そこから発明に至った。
ロールミル充填が必要な理由は、製品となる缶に詰める充填前の工程でインキを撹拌混合する際、空気を巻き込みインキ中に気泡が存在することによりインキ内部で酸化乾燥（硬化）が生じ、印刷インキとして不良となる為、ロールを通し気泡を取り、同時に粗粒子（異物）等を濾過し充填する目的で使用する。
この発明の一実施形態を、図１、２、３に示す。
ロールは鉄製、円柱状であり、本発明においては２本ロールのため前ロール（吐出する方）の両サイドにある２つのハンドルで、固定な後ロールに対して圧力を調整できる可変式となっている。ハンドルの手動回転させロール間圧力を強弱させ、圧力を上げるとロール間を通るインキの量は減り吐出は遅くなり、逆に下げると吐出は増え速くなるが、脱泡、濾過、効果も下がる。前ロール全面には、前ロールと同じ長さのインキをかき取る刃が付けられている。刃によってかき取ったインキを受けるドクターを刃の真下に設置しインキを回収する。
【図１、図２、図３の符号の説明】
【０００８】  ▲１▼  本発明機の前ロール
▲２▼  前ロールの回転方向であり、回転は後ロールの２〜４倍の速さで回転することによりインキを引張る。
▲３▼  ロール間を通り脱泡されたインキをかき取るドクター刃部。
▲４▼  秤
▲５▼  充填容器（缶）
▲６▼  ドクター  刃部でかき取ったインキを容器へ流す板
▲７▼  圧力調整（可動）  ロール間の圧力を調節することにより吐出量が変わる。ロール間の圧力を下げ間を開けると吐出量は増すが脱泡効果も下がる。
▲８▼  後ロール
▲９▼  ロール軸
▲１０▼  後ロールの回転方向であり、ロールは固定されており、前ロールから圧力を受ける。
▲１１▼  セキ板と呼ばれインキがロールサイドに流出するのをせき止める板状具。
▲１２▼  インキ  インキの流れはロールを通り回転の速い前にロールに引張れる。
▲１３▼  インキ注入を示す。
【図４の符号の説明】
【０００９】  ▲１▼  前ロール
▲２▼  前ロールの回転方向を示す
▲３▼  充填容器の例（１ｋｇ缶）
▲４▼  秤
▲５▼  ドクター  刃部でかき取ったインキを容器へ流す板
▲６▼  ドクター刃部  ロール間を取り脱泡されたインキをかき取る
▲７▼  圧力可変を示しており、図４には示していないが、ロールの両サイドに円形のハンドル（２コ）がありハンドルを手動回転しロール間圧力を調整する。
▲８▼  中ロール（本体に固定されてある）
▲９▼  中ロールの回転方向を示す
▲１０▼  ▲７▼の説明と同じであり後ロールの圧力可変を示す。
▲１１▼  後ロール
▲１２▼  後ロールの回転方向を示す
▲１３▼  インキの状態であり、各ロールへの転移は太黒線で示します。
▲１４▼  インキ注入を示す。
【図１】
2014009035.tif 000003
【図２】
2014009035.tif 000004
【図３】
2014009035.tif 000005
【図４】
2014009035.tif 000006
(57)【要約】      （修正有）【課題】袋の淵や手を汚さず、簡単に汚物を入れられ、個別に密封できる使い捨て汚物入れの提供。【解決手段】ポリ袋本体２の両サイドに切込み１を入れ、切込まれた前部を垂れ下がり部分３とし、切込まれた後側上部に汚物を封入後に密封する帯状粘着テープ４を着けると共に、ポリ袋を吊るす掛け穴５、５’を開け、ポリ袋が透けない様に色や模様の印刷を施す。【選択図】図１
2014009063.tif 000002
【特許請求の範囲】
【請求項１】
両サイドに切込みを入れ、前部が垂れ下がるようにしたポリ袋。
【発明の詳細な説明】
【技術分野】
【０００１】
本発明は、生理用品、尿漏れパッド等の汚物を簡単に処理し捨てる為の、両サイドに切込みを入れ、前部が垂れ下がり開閉口が安易に開いてものを滑り込ませる形にしたポリ袋に関する。
【背景技術】
【０００２】
使用済み生理用品、尿漏れパッド等の汚物を捨てる為のものとしては、トイレに設置する箱型の汚物入れが知られている。
【発明の概要】
【発明が解決しようとする課題】
【０００３】
現在トイレに設置使用されている箱型の汚物入れは、汚物をある程度の数および時間、日数貯めて置く事になるので、臭う、汚いというイメージが強く、場所も後方に置かれ使いにくい。開口部も汚れる事があり定期的な洗浄が必要である。
【０００４】
男女共用トイレの場合、女性の気遣いは大変である。
【０００５】
箱型汚物入れを置いていない場合は、トイレットペーパーで包み外部のごみ箱に捨てるが、密封されていない為、臭いや滲み等の見た目の問題が残る。
【０００６】
袋の淵や手を汚さず、簡単に汚物を入れられ個別に密封できる使い捨て汚物入れが今までない。
【課題を解決するための手段】
【０００７】
袋の両サイドに切込みを入れ、袋の後側上部で吊るす形にすると、切込まれた部分の前部は重力で垂れ下がり、開口が安易に開いて物を滑り込ませる形となる。袋に帯状粘着シール部分を着ける事により、汚物を封入後に密封出来ようにする。
【発明の効果】
【０００８】
切込まれた部分の前部は重力で垂れ下がり、開口が安易に開いてものを滑り込ませる形になる為、袋の淵や外側や手を汚さず、片手でも簡単に汚物を入れる事が出来る。
【０００９】
汚物を使用後すぐに個別に密封出来る為、臭いの問題が軽減される。
【００１０】
汚物を使用後すぐに個別に密封出来そのまま捨てられる為、箱型汚物入れをトイレに設置する必要がなく、また設置したとしても個別に密封した状態で汚物を捨てる事になる為、女性の気遣いを軽減し、箱型汚物入れの洗浄時の不快感を払拭する。
【発明を実施するための最良の形態】
【００１１】
ポリ袋の両サイドに切込みを入れ、袋の後側上部で吊るす形にして、帯状粘着シール部分を着ける。
【実施例】
【００１２】
ポリ袋が透けない様に印刷を施し、ポリ袋の両サイドに切込みを入れ、袋の後側上部で吊るす形にして、帯状粘着シール部分を着ける。壁面の使いやすい位置に数十枚単位で吊るす様式にする。
【産業上の利用可能性】
【００１３】
安価なポリ袋を利用する使い勝手の良い使い捨て汚物入れを提供する事により、女性や尿もれなどの問題を抱える人や高齢者が、気遣いなく、また快適に汚物を処理する事が出来る。
【図面の簡単な説明】
【００１４】
【図１】本発明の平面図である。
【図２】本発明の斜視図である
【符号の説明】
【００１５】
１切込み部分
２本体
３前部垂れ下がり部分
４ 粘着テープ
５ 掛け穴
【図１】
2014009063.tif 000003
【図２】
2014009063.tif 000004